(57)【特許請求の範囲】
【請求項１】
前面の少なくとも水面に入れる部分を透明とした前面板を備え、かつ上面覗き開口を除いて密封状態に形成された角形有底筒状体の内面底部に予め決められた所定角度に傾斜させて水中の前方に離隔した測定対象を上方に写し出す鏡を上記前面板の透明部と対向的に設置してなる透明度測定鏡筒と、
板体に測定目印を表示した透明度測定標識と、
プール水の基準となる濁度と透明度と、各濁度と各透明度に対応した鏡に写る像を示した判定表と、
からなるプール水の透明度測定キット。
【発明の詳細な説明】
【０００１】
【発明の属する技術分野】
この発明はプールの水の透明度、濁度を測定するために使用するプール水の透明度測定キットに関する。
【０００２】
【従来の技術】
厚生省や文部省のプール水質基準での透明度は水張りされたプールの底の白線が明確に見える程度、濁度は３度以下などの基準が定められているが、これらの基準値はプール水の最低の基準で、実際にはきれいなプールとはいえない。
実際のプールは透明度も濁度も基準値以下で運営されているのが殆どである。例えば、透明度は遊泳前の状態で２５ｍ先の対壁のラインが見え、濁度も基準値以下０．１度以下のプールも珍しくない。しかし、プールは開場後遊泳者が持ち込む種々の汚れ、例えば汗や涙、髪の毛等の見えるものの他、プール水に溶け出す化粧品などにより透明度、濁度を下げてしまいます。プールでは透明度を時々観察し、見た目で透明度が悪く汚れたときは、浄化装置の異常やプール水の管理状態が素早く判断できる。濁りがあると透明度が低いばかりか、塩素剤の使用量が多くなるのが現状である。
従来このプール水の透明度を観察するものとして、鏡を略４５度の角度に枠台に設けた透明度観察用鏡台をプールの底床、水中側壁面等に水没させて、観察測定者が水中に潜ることなくプールの周縁の水上から水中の水平方向の透明度を観察測定するようにしたものがある（実公平６−８５３９号公報参照）。
【０００３】
【発明が解決しようとする課題】
従来、プール水を測定するためにプール水を数値で示す場合には、専門の分析機関でプール水の分析するほかなく、その分析値は精度が低い。見た目には明らかに差があるプールでも分析値は同じになることがあった。
また、後者の透明度観察用鏡台はプール水の中に直接水没させるので、観察測定者がプールの周縁の水上から水没させた鏡台を見るとき、プール水面による光の反射、プール水の波、プール水の汚れ、鏡をプールの床に位置させると目で見る位置とかなり離れることになるなどで、鏡に写される目標物の像が見にくく、測定しにくい問題があった。また、鏡を直接プール水に触れるためプール水中の汚れが鏡に付着し、鏡面が汚れる問題があった。
【０００４】
この発明はこのような問題を解決するもので、鏡を筒状体内の底部に設けて、筒状体の下部だけ水中に入れ、上部は水上に露出させて、鏡に写す測定対象を見やすくし、観察測定者がプールの周縁の水上でプールの水の透明度、濁度を観察測定し易くした透明度測定鏡筒と透明度測定標識と判定表でプール水の透明度と濁度を簡単に判断しうる透明度測定キットを提供することを目的とする。
【０００５】
【課題を解決する手段】
この発明の請求項１のプール水の透明度測定キットの発明は、前面の少なくとも水面に入れる部分２ａを透明とした前面板２を備え、かつ上面覗き開口６を除いて密封状態に形成された角形有底筒状体１の内面底部に予め決められた所定角度に傾斜させて水中の前方に離隔した測定対象を上方に写し出す鏡７を上記前面板の透明部２ａと対向的に設置してなる透明度測定鏡筒Ａと、板体に測定目印を表示した透明度測定標識Ｂと、プール水の基準となる濁度と透明度と、各濁度と透明度に対応した鏡に写る像を示した判定表Ｃとからなることを要旨とする。
【０００６】
この発明の構成による作用は、観察測定者がプールの周縁の水上で透明度測定鏡筒を手で持って、その下部の透明部を水面下に入れ、上面覗き開口は水上に位置させて覗き開口を覗いてプール内の前方に離隔した任意の個所の測定標識を観察測定する。鏡が筒体内にあるので、測定標識を見やすい。また、透明度測定鏡筒は軽量で持ち運びしやすくする。
【０００７】
この発明の構成による作用は、透明度測定鏡筒と、透明度測定標識と、判定表とをキットとすることで、その透明度測定標識をプールの適所、例えばプールの一方の壁面に適宜取付手段で吊り下げ、その測定標識から離れた適宜位置で、観察測定者がプールの周縁の水上で透明度測定鏡筒を手で持って、その下部の透明部を水面下に入れ、上面覗き開口は水上に位置させて覗き開口を覗いてプール内の前方に離隔した任意の個所の測定標識を観察測定する。観察測定して、測定標識までの距離と、鏡に写される像の見え方を判定表に示されている各透明度と各濁度における像の図、写真等と比較して判断する。鏡に写る像の判定表に示された像と比較するだけで透明度、濁度を判断できるので、プール関係者等が簡単に測定できる。
【０００８】
【発明の実施の形態】
この発明の実施形態を図面に基づいて説明する。図１はこの発明の透明度測定鏡筒の斜視図、図２は同断面図、図３は図２のＸ−Ｘ断面図、図４は前面板を除いた正面図、図５は透明度測定標識の正面図、図６は透明度と濁度と鏡に写る像の見え方の関係を示す判定表の正面図、図７はプール内の透明度測定標識を透明度測定鏡筒で見る態様を示す概略側面図、図８は同平面図である。
【０００９】
図１乃至図４において、透明度測定鏡筒を説明する。この透明度測定鏡筒Ａは少なくとも水面に入れる部分を透明とした前面板を備え、かつ上面覗き開口を除いて密封状態に形成された角形有底筒状体１に鏡７を備えてある。１は合成樹脂製等角形有底筒状体で、少なくとも水面に入れる部分２ａを透明とした前面板２と、両側面板３、背面板４、底面板５で角形で密封状態に形成され、上面覗き開口６が設けられている。前面板２の水面に入れる部分２ａは水中で鏡で前方を透視するために少なくとも下端より鏡より上の位置までを透明部分２ａとする。実施形態では、前面板２自体を透明板として前方を透視できるようにしてある。筒状体１は上部を手に持ち約半分乃至２／３を水中に入れる。角形有底筒状体１は前面を除き、周囲から入る光をある程度遮り、かつ後述の鏡面を上面覗き開口６より見ることができる明るさとなるようにする必要がある。プールは湿度が高く管理室などから鏡筒を持ち込むと、温度差により筒内が曇るので前記透明部分２ａ或いは透明板、内部の鏡７に曇り止め対策のコーティングを行うことが望ましい。使用時に曇り止め剤を筒体内に吹き付けることもできる。
実施形態では、この角形有底筒状体１は、前面板２だけ前方を透視しうるように透明板が使用され、その周囲の両側面板３、背面板４、底面板５は周囲から入る光を遮る色彩のブラウンスモーク色のアクリル板が使用され、後述の鏡面に写る測定対象の像Ｄを上面覗き開口６より見ることができるようにする。また、筒状体１は水に入れた時に内部に水が入らないように密封状態に構成される。筒体は水漏れ試験をして密封状態を確認する。また、測定鏡筒は筒内が清掃できる範囲で浮力やサイズ的にも片手で支持できる大きさとするのが好ましい。測定鏡筒は合成樹脂製とした場合、軽量にできて持ちやすい。
なお、実施形態では筒状体の周囲にはブラウンスモーク色のアクリル板を用いたが、これに限られるものではなく、光をある程度遮ることができる適宜色彩、材質の材料とすることができる。
【００１０】
前記角型有底筒状体１の内面底部には予め決められた所定角度θに傾斜させて水中の測定対象を上方に写し出す鏡７が上記前面の透明板と対向的に設置される。この鏡７は筒状体１の内部に丁度入る大きさの四角形で、その角度θは、水中の前方に離隔した測定対象を上方に写し出すことができるように、所定角度に傾斜させる。この鏡７としては、プールに割れた破片が入るのを防ぐために割れにくいアクリル製鏡が用いられている。実施形態で、鏡の底面板５に対する所定角度θは、水中の水平方向の測定対象を略９０度上方に写し出すために、角型有底筒状体１の内面底部に略４５度に備えられる。また、略４５度とした鏡７の上下端が筒状体の前面板と背面板に当接され、接着剤で接着されて固定される。鏡７の傾斜角度θは、プール内の水平方向の前方の測定対象に限らず、プールの前方の底面のコースライン、プールの反対側の水面下の壁面のコース番号、文字等の測定対象を上部より見ることができるような傾斜角度に設けることもできる。すなわち、鏡の傾斜角度は略４５度に限られるものではなく、それ以上の傾斜角度にする場合もある。なお、前記鏡７はアクリル鏡に限られるものではなく、ガラス製等でもよい。
【００１１】
プール水の透明度測定鏡筒Ａの上記角形有底筒状体１の前面板２は汚れ防止のために両側面板の前端部よりｈの幅だけ後方に位置して備えられている。図２に示すように前面板の透明板２は両側の側面板の前端部より幅ｈだけ僅かに後方の位置に固定されて、前面が凹状に形成されている。実施形態では、前面板２と裏面板４が両側面板３の前端より内側に位置して固定されている。而して、この角形有底筒状体１を不使用時にプールサイド等に置くときに、特に前面板の透明部分、或いは透明板が置いた面に接することがないので、表面が汚れたり、傷が付いたりすることを防ぐことができる。
【００１２】
この発明の透明度測定鏡筒Ａは前記構造としたので、測定するとき、この測定鏡筒を沈める深さは、水面に対して浮力で浮こうとする鏡筒を手で押し込んでその鏡に水中で前方の測定対象が写る位置まで沈めて保持し、その状態で測定する。すなわち、鏡自体を水に沈めることなく、図７及び図８に示すように観察測定者Ｓがプールの周縁（プールサイド）の水上で透明度測定鏡筒Ａを手で持って、下部を水面下に入れて筒体内の鏡７を水面下に位置させ、上面覗き開口６は水上に位置させて覗き開口を覗いて略４５度の傾斜の鏡７で前面板の透明部２ａ又は透明板２の下部を通してプール内の前方に離隔した任意の個所の測定対象を観察測定する。測定対象の像Ｄを鏡７に写して測定者Ｓの目で見て測定する。測定者Ｓは透明度測定鏡筒Ａの鏡７に写った像Ｄが認識できるまで、プールサイドを移動し、鏡７に写る測定対象の像Ｄの見え方がはっきりするか、ぼやけるか、見えないかで透明度を判断する。すなわち、プール水の透明度は測定対象が距離何メートルまで見えるかで判断される。測定者は後述の測定条件を満たす者が、鏡に写る像を認識できる位置まで移動して、その認識できる位置で鏡に写る像と後述の判定表Ｃに示された像Ｄの図、写真等と比較するだけで、透明度とおおまかな濁度を簡単に判断できる。
【００１３】
図１乃至図６にプール水の透明度測定キットを示す。透明度測定キットは、透明度測定鏡筒Ａと、透明度測定標識Ｂと、判定表Ｃとからなる。
【００１４】
図５において、透明度測定標識Ｂを説明する。透明度測定標識Ｂは四角形の合成樹脂製、木製等板体１０の前面の中央に測定対象として、黒色の四角を十字状に並べた十字型測定目印１１が描かれている。この板体１０には上部の隅角に吊り下げ孔１２が設けられ、紐等で吊り下げ可能とされる。板体の形状は四角形に限られるものではなく、円形等適宜形状とすることができる。また、測定目印１１は黒の十字型表示に限られるものではなく、文字、記号或いは適宜図形等を見取り易い彩色、形態の測定目印とする。測定用標識を取付ける手段として、板体に吊り下げ孔を設けて、紐で吊す構成としたが、取付手段はこれに限定されるものではない。
また、実施例では、透明度測定標識Ｂとして、板体に黒の十字型測定目印１１を描いた場合を示したが、これに限られるものではなく、例えば、プールＰの短辺の壁面の水面下に直接適宜の文字、記号、図形を描いて標識とできる。また、プールの壁面の水面下にすでにコース名などの記号があれば、それを測定の標識とすることもできる。プールの底及び壁面のラインを標識とすることもできる。なお、透明度測定標識Ｂには前記測定目印の他に、プール水の喫水に合わせるように位置決めする喫水線を表示しても良い。
【００１５】
図６において、透明度と濁度を判定する判定表Ｃの構成を説明する。判定表Ｃは合成樹脂製等水に濡れても良い材料で作成した四角形の板体１０に透明度（ｍ）と濁度（度）、鏡に写る前記測定標識の像Ｄの見え方の関係を表として表示されている。透明度は水の透明さを表す値で、この表では鏡に写る像Ｄが見える距離（ｍ）で表し、距離（ｍ）が大きくなるほど透明度が良いことを表す。また、濁度は水の濁りの度合いで、この表では濁度（度）の数値が大きくなるほど鏡に写る像Ｄの見え方が不明確となり濁りがひどくなることを表す。
判定表Ｃには縦に透明度（ｍ）を距離５ｍから２５ｍまで５ｍおきの距離を示し、横に濁度（度）を０．１未満から０．１０、０．２５、０．６０まで表し、各透明度と各濁度における鏡７に写る像Ｄの見え方を図、或いは写真等で表す。（図面に示す像は、鏡に写る像の写真を概略表示したもので、実際の写真の表示とは異なる。）
【００１６】
この透明度測定キットによる測定方法を以下に説明する。
１，測定を始めるとき、先ずプールＰの透明度をほぼ同じ条件で測定するために、先ず、照度計により照度を測定して、プールの部屋の明るさがプール公認規則の１５０ルックス以上確保しているかどうか確認する。
２，透明度測定標識Ｂを用意して、図７及び図８に示すように、この透明度測定標識Ｂを水面と垂直になるようにプール短辺側の壁面に沿ってコースの水中に沈める。すなわち、測定標識Ｂを沈ませる深さは透明度測定鏡筒Ａの鏡と測定標識の測定目印１１が水平に対向する位置まで沈める。例えば、測定目印１１は水面下約２０〜３０ｃｍ位置させ、透明度測定鏡筒Ａの下部を約２０ｃｍ程水中に沈めて鏡で観察測定する。
３，測定者Ｓは反対側のプールサイド上で、透明度測定鏡筒Ａの下部を約２０ｃｍ程水中に沈めて、透明度測定鏡筒Ａの上面覗き開口６を覗いて測定標識Ｂを観察測定する。
４，測定者は透明度測定鏡筒Ａの鏡７に写った像Ｄが黒色の十字であることを認識できるまで、プールサイドを移動する。
５，透明度測定標識Ｂから測定者Ｓまでの距離を透明度（ｍ）とする。すなわち、透明度は測定対象が距離何メートルまで見えるかで判断する。
【００１７】
測定条件
１，プール公認規則の照度、１５０ルックス以上を保持していること。
２，透明度測定鏡筒を使用する。
３，透明度測定鏡筒は水面下２０ｃｍに沈めて観察する。
４，測定者の視力は０．７以上とする。
５，測定は水面が外光で反射しているコースを避ける。
なお、測定者は遊泳中でも測定可能であるが、遊泳者に不快感を与えず正確に測定するには、遊泳者がいないときに行うのが好ましい。
【００１８】
上記測定条件のもとで、図７及び図８に示すように透明度測定標識Ｂをプール短辺側の壁面に沿ってコースの水中に適宜手段で水面に対して垂直に吊り下げ保持し、測定者Ｓは反対側のプールサイドの測定標識Ｂから例えば、２５ｍ地点で透明度測定鏡筒Ａの上部を手に持ち、その下部を水中に入れて、上面覗き開口６を水面上で覗いて前方に垂直に保持した測定標識Ｂを鏡７に写すようにして観察測定し、その透明度測定鏡筒Ａの鏡７に写る測定標識Ｂの測定目印の黒色の十字の像Ｄが確認できる地点まで、プールサイドに沿って矢印のように移動して、黒色の十字であることを確認できる地点において透明度測定標識Ｂから測定者Ｓまでの距離で透明度（ｍ）が確定でき、その地点における黒十字測定目印の像Ｄの見え方を判定表Ｃを見ておおまかに濁度を判断することができる。
例えば、測定標識Ｂに測定者Ｓが２０ｍまで近づき、鏡７に写る像Ｄが少しぼやけて見える場合には、透明度は２０ｍで濁度は０．１０と判断する。而して、プール水をきれいな状態に保つには、透明度が２０〜２５ｍで濁度が０．１未満であることが望ましく、循環させるプール水を浄化濾過装置でその透明度、濁度が保てるように浄化及び塩素剤を注入滅菌する。
従って、プールの水をこの透明度測定鏡筒と、透明度測定標識と、判定表とからなる透明度測定キットを用いて測定を簡単に行うことができるので、定期的に測定を行い透明度、濁度が低下した時すぐに、プール水の浄化濾過装置の異常やプール水の管理状態が素早く判断でき、プール水を常時きれいな状態に保つことができる。この測定を生かしてプール水の透明度、濁度が増加しなようにようにすれば、快適なプール水を維持することが可能となり、塩素剤の使用量も少なくでき、目の痛みなど遊泳者の不快感も防ぐことができる。
【００１９】
この発明はこの形態に限られるものではなく、この発明の要旨を逸脱しない範囲で、様々な形態を実施しうるものである。
【００２０】
【発明の効果】
この発明によれば、観察測定者がプールの周縁の水上で透明度測定鏡筒を持って、その下部の透明部を水面下に入れ、上面覗き開口は水上に位置させて覗き開口を覗いてプール内の前方に離隔した任意の個所の透明度測定標識を簡単に観察測定することができて便利である。その観察をするとき、時として波立つ水面による光の反射による障害もなく、鏡に写った測定標識をはっきり観察でき、測定しやすい効果がある。また、鏡が直接プール水に触れていないため鏡面をきれいに保つことができる。かつまた、この測定鏡筒は軽量で、持ち運びしやすい。
【００２１】
この発明の透明度測定キットによれば、その透明度測定標識をプールの水中の適所に保持し、透明度測定鏡筒をその測定標識から離れた適宜位置で、観察測定者がプールの周縁の水上で透明度測定鏡筒でプールの水中の前方に離隔した測定標識を観察測定して、鏡に写される像の見え方により判定表に示されている透明度と濁度を比較判断することができるので、専門家でなくとも、プールの関係者等がプールの透明度、濁度を簡単に測定し判断できて便利である。
【図面の簡単な説明】
【図１】  この発明の透明度測定鏡筒の斜視図である。
【図２】  同断面図である。
【図３】  図２のＸ−Ｘ断面図である。
【図４】  前面板を除いた正面図である。
【図５】  透明度測定標識の正面図である。
【図６】  透明度と濁度と鏡に写る像の見え方の関係を示す判定表の正面図である。
【図７】  プール内の透明度測定標識を透明度測定鏡筒で見る態様を示す概略側面図である。
【図８】  同平面図である。
【符号の説明】
Ａ  透明度測定鏡筒
Ｂ  透明度測定標識
Ｃ  判定表
１  角形筒状体
２  前面板
２ａ  透明部
６  覗き開口
７  鏡
１１  測定目印
【図１】
0003726018.tif 000002
【図２】
0003726018.tif 000003
【図３】
0003726018.tif 000004
【図４】
0003726018.tif 000005
【図５】
0003726018.tif 000006
【図６】
0003726018.tif 000007
【図７】
0003726018.tif 000008
【図８】
0003726018.tif 000009